(57)【要約】【課題】従来の跳ね上げ式メガネの装着性を良くして運動やシャツの着脱を邪魔しないようにする。【解決手段】レンズ１１と、レンズを保持するリム１２と、左右のリム１２を連結するブリッジ１３と、鼻に当てるパッド１４と、耳にかけるテンプル１５と、テンプル１５の先のモダン１６と、テンプル１５とリム１２の間のヨロイ１７と、ヨロイ１７とテンプル１５を折り曲げ可能に連結する蝶番１８でメガネ本体１を構成し、上側のリム１２に左右の跳ね上げ蝶番３を取り付けて跳ね上げフレーム４を上下に旋回可能に支持する。レンズ２１と、左右のレンズ２１を連結するブリッジ２２で外側メガネ２を構成し、支軸５をフロント部の左右から外方に向けて突起する。跳ね上げフレーム４は、両端をメガネ本体１のフロント部に沿って下方に湾曲し、先端に軸受６を取り付けて支軸５を挿嵌し、回動可能に外側メガネ２を軸支する。【選択図】図１
2008065280.tif 000002
【特許請求の範囲】
【請求項１】
メガネのフロント部に上下に旋回可能にフレームを取り付け、
このフレームで左右のレンズを回動自在に支持し、
これより前記レンズを回動して凸面を正面に向けたまま前記フレームを旋回して左右のレンズをフロント部の上方へ垂直に跳ね上げることを特徴とする跳ね上げ式メガネ。
【請求項２】
前記レンズは旋回終了時に回転がロックされて垂直姿勢が保持されることを特徴とする請求項１記載の跳ね上げ式メガネ。
【請求項３】
メガネのフロント部にリンク装置を取り付け、
このリンク装置で左右のレンズを昇降自在に支持し、
これより前記リンク装置を上昇して凸面を正面に向けたまま左右のレンズをフロント部の上方へ垂直にスライドさせることを特徴とする跳ね上げ式メガネ。
【請求項４】
前記リンク装置がパンタグラフ状の装置であることを特徴とする請求項３記載の跳ね上げ式メガネ。
【請求項５】
メガネのフロント部に回動自在に一対のアームを取り付け、
このアームで左右のレンズを支持し、
これより前記アームを回動して凸面を正面に向けたまま左右のレンズをフロント部の上方へ垂直にスライドさせることを特徴とする跳ね上げ式メガネ。
【請求項６】
前記一対のアームの支軸をギアで連結して一方を回転するとそれに連動して他方が逆回転するようにし、
これより一方のレンズを上下すると他方のレンズも同じ角度で上下するようにしたことを特徴とする請求項５記載の跳ね上げ式メガネ。
【請求項７】
メガネのフロント部の両側に回動自在に折り曲げ可能なアームを取り付け、
このアームで左右のレンズを支持し、
これより前記アームを真っ直ぐ伸ばして左右のレンズを前方へ突き出し、
次にアームを回動して凸面を外側に向けたまま左右のレンズをフロント部の後方へスライドさせることを特徴とする跳ね上げ式メガネ。
【発明の詳細な説明】
【技術分野】
【０００１】
本発明は、フロント部に装着したレンズを不要時は跳ね上げて使用する跳ね上げ式メガネに関する。
【背景技術】
【０００２】
従来より、カラーレンズや度付きレンズをフロント部に装着してサングラスや老眼鏡として用い、暗いトンネルに入ったときや遠くを見るときは跳ね上げて使用する跳ね上げ式メガネが一般に知られている。
このメガネは、特に老眼の人がゴルフでスコアを書くとき、釣りで針に餌を付けるとき、ドライブで地図を見るときなどに便利である。
【０００３】
しかしながら、従来の跳ね上げ式メガネはフロント部の上縁を軸にレンズを９０°乃至１８０°回転して跳ね上げていたので、レンズが日差しのように突き出たり、裏返された状態で跳ね上げられていた。
レンズが裏返えると湾曲面の向きがフロント部と逆になり、両端が前方に突き出た状態になる。
そのため跳ね上げ後のレンズが顔のカーブに沿って程よく密着せず、装着性が悪いので運動中にレンズが揺れたり、レンズが閉じたりする問題があった。
また、レンズが引っかかってメガネを掛けたままシャツを着脱することができなかった。
【発明の開示】
【発明が解決しようとする課題】
【０００４】
解決しようとする問題点は以上のような点であり、本発明は、従来の跳ね上げ式メガネの装着性を良くして運動やシャツの着脱を邪魔しないようにすることを目的になされたものである。
【課題を解決するための手段】
【０００５】
そのため本発明は、メガネのフロント部に上下に旋回可能にフレームを取り付け、このフレームで左右のレンズを回動自在に支持し、これより前記レンズを回動して凸面を正面に向けたまま前記フレームを旋回して左右のレンズをフロント部の上方へ垂直に跳ね上げることを最も主要な特徴とする。
【発明の効果】
【０００６】
本発明は、レンズを回動して凸面を正面に向けたまま跳ね上げるので、程よくレンズが顔に密着して装着性が高まり、メガネを掛けたままの運動が容易にできるようになる。
また、フレームを旋回して左右のレンズをフロント部の上方へ垂直に跳ね上げるので、レンズが日差しのように突き出なくなり、メガネを掛けたままのシャツの着脱が容易にできるようになる。
【発明を実施するための最良の形態】
【０００７】
以下、本発明の実施の形態について説明する。
【０００８】
図１に、本発明を実施した跳ね上げ式メガネの斜視図を示す。
図１（ａ）は外側メガネを装着した状態、（ｂ）は外側メガネを跳ね上げた状態を示す。
跳ね上げ式メガネは、メガネ本体１の正面に別の外側メガネ２を取り付けてフロント部を２重構造とし、不使用時は外側メガネ２を跳ね上げ可能に構成したものである。
メガネ本体１は、レンズ１１と、レンズを保持するリム１２と、左右のリム１２を連結するブリッジ１３と、鼻に当てるパッド１４と、耳にかけるテンプル１５と、テンプル１５の先のモダン１６と、テンプル１５とリム１２の間のヨロイ１７と、ヨロイ１７とテンプル１５を折り曲げ可能に連結する蝶番１８で構成し、上側のリム１２に左右の跳ね上げ蝶番３を取り付けて跳ね上げフレーム４を上下に旋回可能に支持する。
【０００９】
跳ね上げフレーム４は、バネ付きの爪などで上側のリム１２を挟んで着脱自在にメガネ本体１に取り付けてもよい。
跳ね上げ蝶番３には、例えば折り畳み式携帯電話機の開閉に用いる公知のヒンジなどが適用できる。
外側メガネ２は、レンズ２１と、左右のレンズ２１を連結するブリッジ２２で構成し、支軸５をフロント部の左右から外方に向けて突起する。
跳ね上げフレーム４は、両端をメガネ本体１のフロント部に沿って下方に湾曲し、先端に軸受６を取り付けて支軸５を挿嵌し、回動可能に外側メガネ２を軸支する。
支軸５は、装着時にメガネ本体１と外側メガネ２のレンズ１１、２１がぴったり重なるようにレンズ２１の正面側に取り付け、跳ね上げ後にレンズ１１、２１の上部と下部が重ならないようにレンズ２１の縦方向の長さの中間より下に取り付ける。
支軸５と軸受６は、取り付け位置を逆にして支軸５を跳ね上げフレーム４側に、軸受６を外側メガネ２側に取り付けてもよい。
また、図では支軸５と軸受６をメガネ本体１のヨロイ１７側に設けているが、ブリッジ１３側に設けて両者を連結してもよい。
【００１０】
なお、通常は裸眼で生活する人のためにメガネ本体１をフレームだけ、外側メガネ２のレンズ２１を老眼用にして常時掛けていられるようにすれば、いちいち老眼鏡を取り出して掛けたり、外して仕舞うなどの手間が省けて大変便利である。
【００１１】
支軸５と軸受６には、装着時や跳ね上げ後に外側メガネ２が容易に回転しないように、回転ロック機構を設ける。
図２に、回転ロック機構を説明する支軸と軸受の断面図を示す。
支軸５は、円筒の対向側面を切り欠いて円弧状の湾曲側面５１と直線状の扁平側面５２を対向配置する構成で、軸受６は壁の一側を開口して蓋６１を取り付け、バネ６２で付勢して開口部を圧接する構成である。
以上のような構成で、外側メガネ２の装着時（図の矢印が下向き）や跳ね上げ後（図の矢印が上向き）は扁平側面５２が開口部に接し、蓋６１が閉じてバネ６２の圧力は直角に作用し、支軸５の回転を抑制する。
跳ね上げ時や引き下げ時（図の矢印が横向き）は湾曲側面５１が開口部から突起し、蓋６１が開いてバネ６２の圧力は斜めに作用し、支軸５の回転を上下いずれかの方向に付勢する。
以上により、バネ６２の働きで跳ね上げ時や引き下げ時は支軸５の回転を助長して外側メガネ２の跳ね上げや引き下げを円滑にし、装着時や跳ね上げ後は支軸５の回転をロックして外側メガネ２の回転ぶれを防止する。
なお、以上の説明は回転ロック機構の一例であって、本発明はこれに限定するものではない。
【００１２】
本発明を実施した跳ね上げ式メガネは以上のような構成で、外側メガネ２を跳ね上げるときは、外側メガネ２のフロント部を指で挟んで上方に持ち上げる。
これにより、図３に示すように、跳ね上げ蝶番３に支持された跳ね上げフレーム４が側面視１８０°回転し、外側メガネ２が図の想像線で示す２ａを経て２ｂの位置まで順番に移動し、フロント部の上方に垂直に立ち上がる。
このとき、外側メガネ２の支軸５が側面視１８０°回転してレンズ２１が裏返ることなく凸面を正面に向けたままの状態で跳ね上がる。
【００１３】
外側メガネ２を引き下げるときは、外側メガネ２のフロント部を指で挟んで下方に引き降ろす。
これにより、図３に示すように、跳ね上げ蝶番３に支持された跳ね上げフレーム４が側面視１８０°回転し、跳ね上げ時とは逆に外側メガネ２が図の想像線で示す２ｂから２ａを経て元の位置まで順番に移動し、フロント部の前方に垂直に垂れ下がる。
このとき、跳ね上げ時と同様に外側メガネ２の支軸５が側面視１８０°回転してレンズ２１が裏返ることなく凸面を正面に向けたままの状態で垂れ下がる。
【００１４】
跳ね上げ式メガネは、図４に示すように、メガネ本体１の上側のリム１２にパンタグラフ状のリンク装置７を取り付け、このリンク装置７で外側メガネ２のレンズ２１を昇降自在に支持する構成でもよい。
この跳ね上げ式メガネは、リンク装置７を上昇して凸面を正面に向けたまま外側メガネ２のレンズ２１をメガネ本体１のフロント部の上方へ垂直にスライドさせることができる。
図ではリンク装置７をメガネ本体１のヨロイ１７側に取り付けているが、ブリッジ１３側に取り付けてもよい。
【００１５】
また、図５に示すように、メガネ本体１のブリッジ１３に回動自在に一対のアーム８を取り付け、このアーム８で外側メガネ２のレンズ２１を支持する構成でもよい。
この跳ね上げ式メガネは、左右のアーム８を回動して凸面を正面に向けたまま外側メガネ２のレンズ２１をメガネ本体１のフロント部の上方へ垂直にスライドさせることができる。
また、左右のアーム８の支軸（不図示）をギア（不図示）で連結して一方を回転するとそれに連動して他方が逆回転するようにしているので、一方のレンズを上下すると他方のレンズも同じ角度で上下する。
図ではアーム８をメガネ本体１のブリッジ１３側に取り付けているが、ヨロイ１７側に取り付けてもよい。
【００１６】
また、図６に示すように、メガネ本体１の両側のヨロイ１７に回動自在に折り曲げ可能なアーム８を取り付け、このアーム８で外側メガネ２のレンズ２１を支持する構成でもよい。
この跳ね上げ式メガネは、装着時は内側に折り曲げられていたアーム８を真っ直ぐ伸ばして外側メガネ２のレンズ２１を前方へ突き出し、次にアーム８を回動して凸面を外側に向けたまま外側メガネ２のレンズ２１をメガネ本体１のフロント部の後方へスライドさせることができる。跳ね上げ後のレンズ２１の位置を図の想像線で示す。
【図面の簡単な説明】
【００１７】
【図１】本発明を実施した跳ね上げ式メガネの斜視図である。
【図２】回転ロック機構を説明する支軸と軸受の断面図である。
【図３】跳ね上げ動作を説明する跳ね上げ式メガネの側面図である。
【図４】リンク装置を用いた跳ね上げ式メガネの正面図である。
【図５】正面で回転するアームを用いた跳ね上げ式メガネの正面図である。
【図６】側面で回転するアームを用いた跳ね上げ式メガネの側面図である。
【符号の説明】
【００１８】
１          メガネ本体
１１        レンズ
１２        リム
１３        ブリッジ
１４        パッド
１５        テンプル
１６        モダン
１７        ヨロイ
１８        蝶番
２          外側メガネ
２１        レンズ
２２        ブリッジ
３          跳ね上げ蝶番
４          跳ね上げフレーム
５          支軸
５１        湾曲側面
５２        扁平側面
６          軸受
６１        蓋
６２        バネ
７          リンク装置
８          アーム
【図１】
2008065280.tif 000003
【図２】
2008065280.tif 000004
【図３】
2008065280.tif 000005
【図４】
2008065280.tif 000006
【図５】
2008065280.tif 000007
【図６】
2008065280.tif 000008